(57)【特許請求の範囲】
【請求項１】
排水管に接続される排水トラップ本体がスラブ又はグラスウールと仕上げ材とからなる床部を貫通する開口部に配置され、該開口部内に設けて該排水トラップ本体を保護する排水トラップ保温位置出しケースであって、
前記排水トラップ保温位置出しケースが、前記開口部内に前記排水トラップ本体を囲むための保温材又は断熱材による保温ケースと該保温ケースの上部開口部を覆う蓋体とからなり、
前記保温ケースは該保温ケースの上端部が前記床部のスラブ又はグラスウールの上面より上方に突出し、該保温ケースの底部には前記排水管を挿通するための貫通孔が設けられ、
前記蓋体は、前記床部の仕上げ材の施工前、前記保温ケースの上部開口部を覆って配置され、該蓋体の表面が前記床部の仕上げ材の施工後の前記仕上げ材の床面と略一致していることを特徴とする排水トラップ保温位置出しケース。
【請求項２】
前記保温ケースの前記上部開口部には前記排水トラップ本体を載置するためのフランジ部が設けられていることを特徴とする請求項１に記載の排水トラップ保温位置出しケース。
【請求項３】
前記保温材が発泡性樹脂であることを特徴とする請求項１に記載の排水トラップ保温位置出しケース。
【発明の詳細な説明】
【技術分野】
【０００１】
本発明は、水封機構を備える排水トラップの保温位置出しケースに関し、詳しくは、断熱施工を要する建物の床を貫通する排水設備の保温及び貫通部分の断熱性能を確保し、しかも配管施工が容易なものとする排水トラップ保温位置出しケースに関するものである。
【背景技術】
【０００２】
従来の排水トラップには種々の形態があり、図５は排水トラップが排水管内に設けられる形態のものであり、排水トラップ内に排水カップを設けて横方向或いは垂直方向に排水管が接続される形態のものもある。同図の排水トラップは、スラブＳ及び床板Ｆに設けられた開口部Ｐに排水管Ｃが配置され、排水管Ｃ内に排水トラップ本体１が挿入され、排水トラップ本体１にホースジョイント２が接続されている。ホースジョイント２にはフランジ部３が設けられ、また、排水管接続部３の筒状部３ａが排水管Ｃ内に挿入されて床板Ｆに固定され、かつパッキンホルダー４がホースジョイント２に差し込まれてフランジ部３に係合して排水管接続部３に螺合することにより接続され、ホースジョイント２の一方の開放端に排水トラップ本体１が接続され、他方の開放端に排水ホースＨが接続されている。排水トラップ本体１内に排水が貯留されることによって、排水管Ｃ内からの臭気が排水ホースＨを伝って室内に流れ込むのを防止している。（例えば、特許文献１参照）
【０００３】
【特許文献１】特開２００３−３２１８６０号公報（明細書全文、図面全図）
【発明の開示】
【発明が解決しようとする課題】
【０００４】
従来例の床面に対して直交方向に突出した排水管形態は、１階の排水設備によくある形態であり、建物の１階床下には通気性などを考慮し通気孔等が設けられており、冬季には気温が最も低下する部分であり、排水トラップが設置された１階の室内の温度が、排水トラップ取付部から熱を奪われて室内の温度が低下する傾向にあり、断熱施工が要求される建物では、この排水トラップの取付部における断熱性を改善しなければならなかった。また、排水トラップ内には、常時排水が貯留されて排水管を通して臭気が室内に流れ込まないように工夫されており、冬季には排水トラップ内の残留排水が凍結して、排水ができない事態が発生するおそれもあった。
【０００５】
また、排水トラップ内に排水カップを設けて垂直方向に突出する排水管に接続する形態の排水設備では、図６に示した電動カッター５をスラブ及び床面に設けた開口部に装入して排水管Ｃを切断している。図６の電動カッター５は、スリーブ管６内に駆動軸７が軸支され、駆動軸７の下端部にガイド円板８が設けられた先端部に円盤状切断刃９が設けられ、スリーブ管６上部には支持台板１０が設けられ、支持台板１０を固定具１１で任意の位置に固定することができ、ガイド円板８を排水管Ｃの内壁に沿わせて固定し、駆動軸７の上端部を、電動ドリルのチャック部１２に接続して電動ドリルを駆動し、円盤状切断刃９を回転させて排水管Ｃを切断している。
【０００６】
この電動カッター５は、排水管を切断する際に、支持台板１０の位置、即ち床面位置が設定できない限り、垂直方向に突出する排水管Ｃを切断することができない。また、排水トラップに排水管を接続する際、排水管を電動カッター５で切断して接続する必要があるが、通常、支持台板１０の位置を定めねばならないので、床板の施工の後に行う必要があり、従って、この切断工程において、床面に傷を付けたりするおそれがあり、慎重に施工しなければならなかった。
【０００７】
本発明は、上記のような課題に鑑みてなされたものであり、断熱施工を要する建物の床部分の排水トラップ取付部に断熱性を付与するとともに、排水トラップ内の残留排水の凍結を予防し、しかも排水設備の施工が容易な排水トラップ保温位置出しケースを提供することを目的とするものである。
【課題を解決するための手段】
【０００８】
本発明は、上記課題を解決したものであり、請求項１の発明は、排水管に接続される排水トラップ本体がスラブ又はグラスウールと仕上げ材とからなる床部を貫通する開口部に配置され、該開口部内に設けて該排水トラップ本体を保護する排水トラップ保温位置出しケースであって、
前記排水トラップ保温位置出しケースが、前記開口部内に前記排水トラップ本体を囲むための保温材又は断熱材による保温ケースと該保温ケースの上部開口部を覆う蓋体とからなり、
前記保温ケースは該保温ケースの上端部が前記床部のスラブ又はグラスウールの上面より上方に突出し、該保温ケースの底部には前記排水管を挿通するための貫通孔が設けられ、
前記蓋体は、前記床部の仕上げ材の施工前、前記保温ケースの上部開口部を覆って配置され、該蓋体の表面が前記床部の仕上げ材の施工後の前記仕上げ材の床面と略一致していることを特徴とする排水トラップ保温位置出しケースである。
【０００９】
また、請求項２の発明は、前記保温ケースの前記上部開口部には前記排水トラップ本体を載置するためのフランジ部が設けられていることを特徴とする請求項１に記載の排水トラップ保温位置出しケースである。
【００１０】
また、請求項３の発明は、前記保温材が発泡性樹脂であることを特徴とする請求項１に記載の排水トラップ保温位置出しケースである。
【発明の効果】
【００１２】
請求項１の発明では、排水管に接続される排水トラップ本体がスラブ又はグラスウールと仕上げ材とからなる床部を貫通する開口部に配置され、該開口部内に設けて該排水トラップ本体を保護する排水トラップ保温位置出しケースであって、
前記排水トラップ保温位置出しケースが、前記開口部内に前記排水トラップ本体を囲むための保温材又は断熱材による保温ケースと該保温ケースの上部開口部を覆う蓋体とからなり、
前記保温ケースは該保温ケースの上端部が前記床部のスラブ又はグラスウールの上面より上方に突出し、該保温ケースの底部には前記排水管を挿通するための貫通孔が設けられ、
前記蓋体は、前記床部の仕上げ材の施工前、前記保温ケースの上部開口部を覆って配置され、該蓋体の表面が前記床部の仕上げ材の施工後の前記仕上げ材の床面と略一致していることを特徴とする排水トラップ保温位置出しケースであるので、保温ケースが排水トラップ本体を囲むように開口部を塞ぐように取り付けられ、断熱施工を要する建物の床に設けた開口部を通して外気の影響を受け難くなり、しかも冬季であっても排水トラップ内の残留排水が凍結するのを防止できる効果が期待できる。
【００１３】
また、請求項１の発明は、前記保温ケースが、該保温ケースの上部開口部に蓋体が設けられ、該蓋体の表面が床面と略一致しており、床部上に仕上材を施工する前に、保温ケースを開口部に設置し、蓋体を考慮して床部に穿設された開口部から突出する排水管を所定の長さに切断することができ、床板上に仕上材の施工前に排水管のカット作業が可能であるし、このカット作業により床面に傷を付けるといったおそれをも解消することができる利点がある。また、床部に穿設された開口部に保温ケースを取り付け、その上部開口部に蓋体を載置することによって、作業時に開口部内に足を踏み外すといった事故を防止することができる利点がある。また、排水トラップの取り付けは床仕上げの後工程であり、床仕上げ工程とは施工時期がずれるためにゴミ、埃等が排水管に入り、排水管のゴミ詰まり等が発生するおそれがあるが、保温ケースに蓋体が設けて、排水管を保護することにより、排水トラップ取り付け前にゴミ、埃等が排水管内や床下に進入するのを防止することができ、排水トラップの取り付け後に排水管詰まりが発生するのを防止できる利点がある。
【００１４】
また、請求項２の発明は、前記保温ケースの前記上部開口部には前記排水トラップ本体を載置するためのフランジ部が設けられていることを特徴とする請求項１に記載の排水トラップ保温位置出しケースであるので、保温ケースのフランジ部に排水トラップ本体が載置されて排水トラップ本体が収納され、保温ケースの上部開口部を覆うように排水トラップ本体が取り付けられ、かつ開口部が保温ケースで塞がれるので、開口部を通して室内への冷気の流入又は室内の熱の流出が抑制され、建物が開口部を通して外気の影響を受け難くなり、かつ冬季であっても排水トラップ内の残留排水の凍結を防止できる効果が期待できる。
【００１５】
また、請求項３の発明は、前記保温材が発泡性樹脂であることを特徴とする請求項１に記載の排水トラップ保温位置出しケースであるので、開口部を通しての外気との保温性が向上し、断熱性の高い材質が用いられるならば、室内外の熱伝導が抑制できる。また、保温材は、発泡性樹脂層を芯材としたサンドイッチ構造としてもよいし、グラスウールなどの断熱材であってもよい。
【発明を実施するための最良の形態】
【００１６】
以下、本発明に係る排水トラップ保温位置出しケースの実施形態について図面を参照して説明する。なお、図１は本発明の一実施形態の施工例を示す断面図であり、同図において、床部は図右側が木質フロアを示し、図左側がスラブ（コンクリート）を示し、床部はこれら両方を示している。図２は排水トラップを設置する前の状態を示す断面図である。図３（ａ），（ｂ）は本実施形態の排水トラップ保温位置出しケースであり、図４（ａ），（ｂ）はその蓋体であり、排水トラップ及びその取付部を保温又は断熱するとともに、配管施工時の排水管の切断における位置出しが容易な保温ケースであり、排水トラップ保温位置出しケースと称している。
【００１７】
本実施形態の排水トラップ保温位置出しケースは、図１，図３に示すように、排水トラップ３０を囲み、開口部Ｐを塞ぐように設けられ、床部、即ちスラブ（コンクリート）Ｓ又は床（木質フロアー）Ｆに設けられた開口部Ｐ内に保温ケース２０が設けられ、保温ケース２０は有底円筒状のものであり、保温ケース２０の上部開口部２０ａと底部に貫通孔２０ｂとが設けられ、貫通孔２０ｂに挿入されて突出する排水管Ｃに、上部開口部２０ａから挿入される排水トラップ本体３１が接続され、排水トラップ本体３１の上部には排水ホースが接続されるホースジョイント５０が設けられている。なお、図１において、床Ｆにはその表面に仕上げ材が張られ、木質パネル、合板、ＡＬＣ版などを含み、床Ｆが木質フロアの場合、断熱施工を要する建物の床下側には、断熱材としてグラスウールＧが張り合わされる。スラブＳはコンクリートである。また、床Ｆの仕上げ材が施工される前に排水管Ｃの切り出しが行われる。
【００１８】
保温ケース２０の上部開口部２０ａには、図２，図４に示すように、蓋体４０が設けられており、蓋体４０はその表面が床Ｆの表面（仕上げ面）と略同一面となるような厚さに設定されている。なお、蓋体４０は施工時のみ設けられ、排水トラップ３０の施工完了後には取り外される。この蓋体４０は、排水トラップ３０の施工を容易なものとする治具であり、また、作業時に開口部Ｐ内に足を踏み外して転倒するといった事故がないよう安全のため、さらには、排水管Ｃ内にゴミ、埃等が入り、排水管Ｃのゴミ詰まり等が発生するのを防止するためのものである。
【００１９】
排水トラップ本体３１は、図１に示すように、排水ケース３２の底部に開口部３２ａが設けられ、上部にフランジ部３２ｂが設けられ、上部内面にネジ部３２ｃが設けられ、フランジ部３２ｂを保温ケース２０の上部開口部２０ａに設置し、排水トラップ本体３１が保温ケース２０内に設置されている。排水ケース３２内のネジ部３２ｃには、排水カップ受部３４が螺設され、排水カップ受部３４の段差部に排水カップ３３のフランジ部３３ｂが載置され、さらに排水筒３５のフランジ部３５ａが載置され、排水筒３５内に案内筒３６が配設されて目皿３７が設けられている。排水カップ３３には、その上部に排水が流れ出る開口部３３ａが設けられ、開口部３３ａより下がカップ状を呈し、このカップ状部分に残留排水が貯留され、排水管Ｃと室内とを水封し排水管Ｃ内の臭気が室内に流れ込まないようにしている。案内筒３６の上部開口端にホースジョイント５０の下端部が接続され、案内筒３６の下部開口端からは排水が排水カップ３３に排出されて上部開口部３３ａから排出され、排水ケース３２に送り込まれ、開口部３２ａから排水管Ｃに排出される。
【００２０】
次に、排水トラップ３０の施工について図１，図２を参照し説明する。スラブＳ又は床Ｆには、予め排水トラップ３０を設置するための開口部Ｐが設けられ、排水管Ｃが開口部Ｐに配置されている。保温ケース２０を開口部Ｐに挿入しつつ保温ケース２０に設けた貫通孔２０ｂに排水管Ｃを挿通し、床Ｆの表面と蓋体４０の表面とが同一位置となるように保温ケース２０が固定される。その後、図６に示した電動カッター５によって、排水管Ｃが切断線Ｌに沿って切断され、その排水管Ｃの外周部にネジＣａが切られる。なお、図２にはスラブＳ上に床板Ｆが図示されているが、保温ケース２０を設置する際にはスラブＳ又は床Ｆ上には仕上げ材が施工されていない状態である。続いて、図６の電動カッター５を排水管Ｃ内に挿入し、床Ｆの厚さを想定して円盤状切断刃９の位置を切断線Ｌに設定し、切断線Ｌに沿って排水管Ｃを切断する。排水ケース３２の接合部３２ｄを排水管ＣのネジＣａに螺合させて、排水ケース３２のフランジ部３２ｂが保温ケース２０の上端部に載置される。その後、先に説明した排水カップ３３等が順次組み込まれる。
【００２１】
保温ケース２０は、図３に示したように、有底円筒状で排水トラップ本体３１を囲む部材であり、その素材は保温材又は断熱材が使用される。保温材としては、発泡性樹脂を成形したものが用いられたり、或いは、発泡性樹脂層を芯材としたサンドイッチ構造のものが用いられる。また、保温ケース２０は、外層材に不燃材料又は断熱材が用いられ、例えばグラスウールを内部に充填してもよい。さらに、排水トラップ本体３１の外周部、即ち保温ケース２０内に保温材或いは不燃材料を充填してもよい。
【００２２】
上述のように、本発明の排水トラップ保温位置出しケースは、断熱性能が要求される建物の床部に排水設備を施工する際、床部に設けられる開口部に設置される排水トラップを保温ケース内に収納して開口部を塞ぐことにより、排水トラップ取付部の保温性と断熱性を高め、建物が床部の開口部を通して外気の影響を受け難くしたり、或いは冬季に排水トラップの残留排水が凍結し易い地域に利用することにより、排水トラップ内の残留排水の凍結による排水管の詰まりが改善できる保温又は断熱機能を有するのもである。
【００２３】
また、本発明の排水トラップ保温位置出しケースは、保温ケースの蓋体表面が床仕上げ面の高さに設定されており、床部に設けた開口部に突出する排水管を床仕上げ面である蓋体表面を基準として所定の高さに切断し、床部の施工が完了後、排水トラップ本体を先に切断した排水管に接続することができ、保温ケースとその蓋体とによって、排水管の切り出しの際の位置出し機能を有するものである。
【産業上の利用可能性】
【００２４】
本発明の活用例としては、建物の床部に設けた開口部に排水設備の排水トラップを施工する際、この開口部に保温ケースを設けることにより、床部の排水トラップ取付部の保温性と断熱性を高めることが可能であり、断熱性能が要求される建物の床部の開口部を通して外気の影響を受け難くしたり、或いは冬季に排水トラップの残留排水が凍結し易い地域に利用することができる。
【図面の簡単な説明】
【００２５】
【図１】本発明の一実施形態の施工例を示す断面図である。
【図２】本実施形態の排水トラップを設置する前の状態を示す断面図である。
【図３】本実施形態の保温ケースである。
【図４】本実施形態の保温ケースの蓋体である。
【図５】従来の排水トラップの断面図である。
【図６】排水管を切断する電動カッターの概略図である。
【符号の説明】
【００２６】
２０  保温ケース
２０ａ  上部開口部
２０ｂ  貫通孔
３０  排水トラップ
３１  排水トラップ本体
３２  排水ケース
３２ａ  開口部
３２ｂ  フランジ部
３２ｃ  ネジ部
３３  排水カップ
３３ａ  開口部
３３ｂ  フランジ部
３４  排水カップ受部
３５  排水筒
３５ａ  フランジ部
３６  案内筒
３７  目皿
４０  蓋体
５０  ホースジョイント
Ｃ  排水管
Ｃａ  ネジ
Ｆ  床
Ｌ  切断線
Ｐ  開口部
Ｓ  スラブ
Ｇ  グラスウール
【図１】
0004804910.tif 000002
【図２】
0004804910.tif 000003
【図３】
0004804910.tif 000004
【図４】
0004804910.tif 000005
【図５】
0004804910.tif 000006
【図６】
0004804910.tif 000007